(57)【要約】【課題】簡易な部材で構成することができ、架線への電力供給を停止することなく安全かつ確実に雪庇を除去することができる雪庇除去装置を提供する。【解決手段】１本のハンガーレール５とこのハンガーレール５上を走行する少なくとも３個の懸架式ローラ６とを用いて、走行体３に固定された雪庇切刃２を走行させようにしたので、屋根１が撓んだとしても走行体３の走行に支障が生じず、駅のプラットホームのような薄い屋根１であっても、安定した雪庇除去作業が実現される。走行体３に取り付けられた雪庇切刃２が、屋根１の軒先に沿って移動することで、軒先に生じた雪庇を除去するものであるので、従来のスコップを使用した雪庇除去方式のように、架線への電力供給を停止すること無く、安全かつ確実に雪庇を除去できる。【選択図】図２
2008075377.tif 000002
【特許請求の範囲】
【請求項１】
プラットホーム屋根の軒先の縁に沿うように配置された1本の支持レールと、この支持レールと平行でかつこの支持レールを挟んで屋根軒先の縁と反対側に配置された平行プレートと、前記支持レールに沿って移動自在な走行用ローラを有する走行体と、この走行体の一端側に屋根軒先の縁から外に向けて突出するように設けられた雪庇除去刃と、前記走行体の他端側に配置されて前記平行プレートの下面に対して接触しながら移動することにより前記走行体の姿勢を維持する揺動防止手段と、前記走行体を引っ張り移動させるための牽引手段とから構成され、前記支持レール上を走行する走行用ローラは、前記支持レールの長さ方向に沿って少なくとも３個以上配列したことを特徴とする雪庇除去装置。
【請求項２】
前記揺動防止手段は、平行プレートの下面を転がる球状車輪を有してなることを特徴とする請求項１に記載の雪庇除去装置。
【請求項３】
前記揺動防止手段は、平行プレートの下面と摺動する摺動部材を有してなることを特徴とする請求項１に記載の雪庇除去装置。
【発明の詳細な説明】
【技術分野】
【０００１】
本発明はホームの屋根上にある雪庇を取り除く雪庇除去装置に関する。
【背景技術】
【０００２】
雪国にある駅のプラットホームでは、その屋根上に降り積もった雪が、屋根の軒先から張り出して雪庇となり、その大きくなった雪庇の塊が線路上に落下し、これによって線路上の架線を切断、又は入線して来た列車に衝突する事故発生の恐れがある。そして、このような被害を発生させる雪庇に関し、従来では、架線監視人や、墜落防止補助者をおいて安全を担保した上で、作業員がプラットホームの屋根上で、感電防止、墜落防止のために必要な絶縁手袋、長靴、安全帯を着用して、プラスチック製のスコップを用いて雪庇の除去を行う必要があり、多くの人的資源を要する作業となっていた。
【０００３】
上述した作業員による雪庇除去の方式とともに、特開昭６２−２５３５８３号公報（特許文献１）、特開２００２−２７６１９８号公報（特許文献２）、特開２００２−３７１７２７号公報（特許文献３）に示される雪庇（又はつらら）の除去装置が知られている。これら雪庇除去装置は、屋根の軒下又は屋根上に、軒下又は屋上の縁に沿うように設けられたレールと、レールに沿って走行自在に設けられた走行体と、レールに沿って走行体を駆動させるための駆動手段と、走行体に取り付けられた切断手段とを有するものであって、駆動手段が、レールに沿って走行体を走行させることにより、走行体に取り付けられた切断手段が、屋根に付着した雪庇を切断し、落下させる。
【特許文献１】特開昭６２−２５３５８３号公報
【特許文献２】特開２００２−２７６１９８号公報
【特許文献３】特開２００２−３７１７２７号公報
【発明の開示】
【発明が解決しようとする課題】
【０００４】
上述したようなプラスチック製のスコップを用いて雪庇を除去する方式では、スコップなどが架線に接触する事故を防止するために、作業前に架線への電力供給を一時停止する必要があり、作業が面倒でかつ手間がかかるという問題があった。また、上記３つの特許文献に示される雪庇の除去装置は、一般建築物への取付けを目的としたもので、いずれもモータによる駆動装置を備えた大掛かりかつ複雑な構成であり、駅のホームへの設置には適さないものであった。
【０００５】
本発明は、従来技術の有していた問題を解決しようとするものであって、簡易な部材で構成することができ、架線への電力供給を停止することなく安全かつ確実に雪庇を除去することができる雪庇除去装置の提供を目的とする。
【課題を解決するための手段】
【０００６】
そして、上記目的を達成するために本発明の課題解決手段では、屋根下でかつ軒先の縁に沿うように配置された1本の支持レールと、この支持レールと平行でかつこの支持レールを挟んで屋根軒先の縁と反対側に配置された平行プレートと、前記支持レールに沿って移動自在な走行用ローラを有する走行体と、この走行体の一端側に屋根軒先の縁から外に向けて突出するように設けられた雪庇除去刃と、前記走行体の他端側に配置されて前記平行プレートの下面に対して接触しながら移動することにより前記走行体の姿勢を維持する揺動防止手段と、前記走行体を引っ張り移動させるための牽引手段とから構成し、前記支持レール上を走行する走行用ローラを、前記支持レールの長さ方向に沿って少なくとも３個以上配列した。
【０００７】
また、本発明の課題解決手段では、前記揺動防止手段として平行プレートの下面を転がる球状車輪を備える。
【０００８】
また、本発明の課題解決手段では、前記揺動防止手段として平行プレートの下面に摺動する摺動部材を備える。
【０００９】
上記のように構成された課題解決手段の作用について説明する。本発明の課題解決手段に示される雪庇除去装置では、牽引手段を介して走行体を牽引することにより、走行体が支持レールに沿って移動した場合に、走行体の一端側にある雪庇除去刃が、屋根から張り出した雪庇を切断・除去する。また、走行用ローラを挟んだ走行体の一端側に雪庇除去刃が設けられ、同じく走行体の他端側には揺動防止手段が設けられる構成であるので、雪庇除去刃の重量により、走行用ローラを支点として走行体の他端側に位置する揺動防止手段が持ち上げられ、平行プレートの下面に押し付けられる。すなわち、平行プレートが、揺動防止手段にかかる上向きの力を受けて、走行体の姿勢を水平に維持する。また、牽引手段によって走行体を牽引した場合、走行体の移動に伴い、揺動防止手段も平行プレートと接触しながら同じ方向に移動することになり、これにより走行体が走行時に振動した場合であっても、その振動が、揺動防止手段と平行プレートとの接触により抑えられ、走行体の走行が安定する。
【００１０】
また、支持レール上を走行する走行用ローラは、支持レールの長さ方向に沿って少なくとも３個以上配列されていることから、仮に１つの走行用ローラが支持レールから外れたとしても、２個の走行用ローラにより、支持レールに対してそのまま水平な状態を保持しつつ走行体を走行させることができ、走行体全体が回転し、脱落してしまうといったトラブルが防止される。また、上記課題解決手段に示される雪庇除去装置では、１本の支持レールとこの支持レール上を走行する走行用ローラとにより、走行体が走行する構成であるので、駅のプラットホーム等の薄い屋根に発生した雪庇も問題無く除去することが可能である。すなわち、駅のプラットホームの屋根は、軽量化のために薄く撓み易い材料で構成されている場合が多く、このため、従来の特開昭６２−２５３８５３号公報（特許文献１）に示される２本の平行なレールを介してローラが走行する方式の雪庇除去装置では、屋根の撓みにより２本のレールの平行度が維持されず、走行体が途中で停止してしまうといったトラブルが発生する場合があるが、本発明の課題解決手段に示される雪庇除去装置では、１本のレールにより走行体を走行させる構成であるので、屋根が撓んだとしても走行体の走行に支障が生じない。
【００１１】
また、上記課題解決手段に示される雪庇除去装置では、１本の支持レール、少なくとも３個の走行用ローラ、雪庇除去刃が取り付けられた走行体、１枚の平行プレート、平行プレートに接触移動する揺動防止手段、走行体を牽引する牽引手段が、最低の構成要素となるものであり、従来公報に示される雪庇除去装置のような大掛かりな構成とならず、簡易な構成で、雪庇除去作業が実現される。また、走行体に取り付けられた雪庇除去刃が、屋根の軒先に沿って移動することで、軒先に発生した雪庇を除去するものであるので、従来のスコップを使用した雪庇除去方式のように、架線への電力供給を停止することなく、雪庇を除去できる。
【００１２】
また、上記課題解決手段に示される雪庇除去装置では、揺動防止手段として平行プレートの下面を転がる球状車輪が設けられていることから、この平行プレートが、球状車輪にかかる上向きの力を受けて、走行体の姿勢を水平に維持するとともに、走行体が走行時に振動した場合であっても、その振動が、平行プレートに対する球状車輪の接触及び回転により抑えられる。
【００１３】
また、上記課題解決手段に示される雪庇除去装置では、揺動防止手段として平行プレートの下面に摺動する摺動部材が設けられていることから、この平行プレートが、摺動部材にかかる上向きの力を受けて、走行体の姿勢を水平に維持するとともに、走行体が走行時に振動した場合であっても、その振動が、平行プレートに対する摺動部材の摺動により抑えられる。
【発明の効果】
【００１４】
本発明の課題解決手段に示される雪庇除去装置では、１本のレールにより走行体を走行させる構成であるので、屋根が撓んだとしても走行体の走行に支障が生じず、駅のプラットホームのような薄い屋根であっても、安定した雪庇除去作業が実現される。また、この雪庇除去装置では、１本の支持レール、３個の走行用ローラ、雪庇除去刃が取り付けられた走行体、１枚の平行プレート、平行プレートに接触移動する揺動防止手段、走行体を牽引する牽引手段が、最低の構成要素となるものであり、従来公報に示される雪庇除去装置のような大掛かりな構成とならず、簡易な構成で、雪庇除去作業が実現される。また、走行体に取り付けられた雪庇除去刃が、屋根の軒先に沿って移動することで、軒先に発生した雪庇を除去するものであるので、従来のスコップを使用した雪庇除去方式のように、架線への電力供給を停止することなく、安全かつ確実に雪庇を除去することができる。
【００１５】
また、上記課題解決手段に示される雪庇除去装置では、前記揺動防止手段として平行プレートの下面を転がる球状車輪が設けられていることから、この平行プレートが、球状車輪にかかる上向きの力を受けて、走行体の姿勢を水平に維持するとともに、走行体が走行時に振動した場合であっても、その振動が、平行プレートに対する球状車輪の接触及び回転により抑えられ、走行体の安定した走行、更には雪庇除去刃による安定した雪庇の除去が可能となる。
【００１６】
また、上記課題解決手段に示される雪庇除去装置では、前記揺動防止手段として平行プレートの下面に摺動する摺動部材が設けられていることから、この平行プレートが、摺動部材にかかる上向きの力を受けて、走行体の姿勢を水平に維持するとともに、走行体が走行時に振動した場合であっても、その振動が、平行プレートに対する摺動部材の摺動により抑えられ、走行体の安定した走行、更には雪庇除去刃による安定した雪庇の除去が可能となる。
【発明を実施するための最良の形態】
【００１７】
以下に本発明の実施の形態を図１〜図４に基づいて説明する。
【００１８】
図１はホームの屋根１に設置された雪庇除去装置１００を示す図であって、この図において符号２は、走行体３に固定された三角形の雪庇切刃（雪庇除去刃）である。この雪庇切刃２は、２本のＬ字鋼４によって走行体３上に垂直となるように固定されたものであって、走行体３の移動により、ホームの屋根１の軒下縁に沿って矢印Ａ又は矢印Ｂ方向に移動し、ホーム屋根１上の雪庇を切断する。また、雪庇切刃２の進行方向側、つまり矢印Ａ側又は矢印Ｂ側の傾斜辺２Ａ・２Ｂは鋭利に形成され、この鋭利な傾斜辺２Ａ・２Ｂによって雪庇が切り落とされる。また、Ｌ字鋼４は雪庇切刃２の底辺付近を支持する構成であるため、雪庇切刃２が走行体３上に高い強度で固定され、雪庇切断時に雪庇切刃２がぐらつくことがない。
【００１９】
図２に示されるように走行体３は板状に形成されたものであって、ホーム屋根１の軒下縁に沿い矢印Ａ−Ｂ方向に固定された１本のハンガーレール５（支持レール）に、懸架式ローラ６（走行用ローラ）を介して走行自在に支持されている。懸架式ローラ６は、図３に示されるようにハンガーレール５内に矢印Ａ−Ｂ方向に沿い３個直列配置され、各懸架式ローラ６の回転軸の軸受には支持部材７を介して板状の走行体３が水平となるように懸架されている。また、図１及び図２に示されるように、走行体３の一端側３Ａは、屋根１の軒先から外側に突出し、この突出箇所には、前述の雪庇切刃２が屋根１の上面から上方に突出するよう垂直配置されている。なお、懸架式ローラ６は本実施の形態では３個設けたが、これに限定されず３個以上であっても良い。
【００２０】
図２に示されるように、ハンガーレール５及び懸架式ローラ６を挟んで雪庇切刃２と反対側に位置する走行体３の他端側３Ｂには、揺動防止手段８が設けられている。この揺動防止手段８は走行体３上に固定された台座９と、この台座９上に設けられたボールキャスター１０（球状車輪）とから構成されたものであって、ボールキャスター１０は、屋根１の裏側にハンガーレール５と平行となるよう矢印Ａ−Ｂ方向に固定された平行プレート１１の下面に接触している。そして、このような構成によって、走行体３の一端側３Ａに位置する雪庇切刃２の重量により、懸架式ローラ６を支点として走行体３の他端部３Ｂ側に位置するボールキャスター１０が持ち上げられ、平行プレート１１の下面に押し付けられる。平行プレート１１は、ボールキャスター１０にかかる上向きの力を受け、これによって走行体３の水平度を保つ。なお、ボールキャスター１０は、平行プレート１１の長さ方向（矢印Ａ−Ｂ方向）に沿って直列に２個設けられているが（１個のみ図示）、走行体３を水平に保持し、かつ走行体３の走行時の安定を保つことができるのであれば、その数は限定されるものではない。また、ボールキャスター１０が走行する平行プレート１１は屋根１の裏面に固定されたものであるが、もし屋根１の裏面が、ボールキャスター１０が転がり得る程の平滑性を有しているのであれば、この屋根１の裏面を平行プレートとして使用しても良い。
【００２１】
また、走行体３の下面には牽引手段１２が設けられている。この牽引手段１２は走行体３の下面に固定されたリング１３と、このリング１３に取り付けられたロープ１４とからなるものであって、作業員の人力でロープ１４を引っ張ることによって、走行体３が矢印Ａ又矢印Ｂ方向に移動される。
【００２２】
本実施の形態に示される雪庇除去装置１００によれば、ロープ１４を作業員が引っ張った場合に、走行体３に設けられた懸架式ローラ６によって、走行体３がハンガーレール５に沿って矢印Ａ又は矢印Ｂ方向に移動し、これによって走行体３の一端側３Ａにある雪庇切刃２が、屋根１から張り出した雪庇を切断・除去する。また、走行体３の他端側３Ｂにはボールキャスター１０が設けられる構成であるので、走行体一端側３Ａの雪庇切刃２の重量により、懸架式ローラ６を支点として走行体３の他端側３Ｂに位置するボールキャスター１０が持ち上げられ、平行プレート１１の下面に押し付けられる。
【００２３】
その結果、走行体３の姿勢を水平に維持できるとともに、走行体３がハンガーレール５に沿って移動した場合に、ボールキャスター１０も平行プレート１１上を同じ方向に転がり移動することになり、これにより走行体３が走行時に振動した場合であっても、その振動が、ボールキャスター１０と平行プレート１１との接触により抑えられ、走行体３の安定した走行、更には雪庇切刃２による安定した雪庇の除去が可能となる。また、ハンガーレール５上を走行する懸架式ローラ６は、ハンガーレール５の長さ方向に沿って少なくとも３個以上設けられていることから、仮に１つの懸架式ローラ６がハンガーレール５から外れたとしても、２個の懸架式ローラ６により、ハンガーレール５に対してそのままの水平な状態を保ち走行体３を走行させることができ、走行体３全体が回転し、脱落してしまうといったトラブルを防止することができる。
【００２４】
また、本実施の形態に示される雪庇除去装置１００によれば、１本のハンガーレール５とこのハンガーレール５上を走行する懸架式ローラ６とを用いて、雪庇切刃２を走行させる構成であるので、駅のプラットホーム等の薄い屋根１に発生した雪庇も問題無く除去することが可能である。すなわち、駅のプラットホームの屋根１は、軽量化のために薄く撓み易い材料で構成されている場合が多く、このため、従来の特開昭６２−２５３８５３号公報（特許文献１）に示される２本の平行なレールを介してローラが走行する方式の雪庇除去装置では、屋根１の撓みにより２本のレールの平行度が維持されず、走行体が途中で停止してしまうといったトラブルが発生する場合があるが、この実施の形態に示される雪庇除去装置１００では、１本の支持レールにより走行体３を走行させる構成であるので、屋根１が撓んだとしても走行体３の走行に支障が生じず、駅のプラットホームのような薄い屋根１であっても、安定した雪庇除去作業が実現される。
【００２５】
また、この実施の形態に示される雪庇除去装置１００では、１本のハンガーレール５と、３個の懸架式ローラ６と、雪庇切刃２が固定された走行体３と、１枚の平行プレート１１と、平行プレート１１に接触しながら移動する揺動防止手段８と、走行体３を牽引する牽引手段１２とが、最低の構成要素となるものであり、従来公報に示される雪庇除去装置のような大掛かりな構成とならず、簡易な構成で、雪庇除去作業が実現される。また、走行体３に取り付けられた雪庇切刃２が、屋根１の軒先に沿って移動することで、軒先に発生した雪庇を除去するものであるので、従来のスコップを使用した雪庇除去方式のように、架線への電力供給を停止することなく、安全かつ確実に雪庇を除去することができる。
【００２６】
また、本実施の形態に示される雪庇除去装置１００では、ボールキャスター１０の上向きの力を受ける平行プレート１１によって、走行体３の姿勢を水平に維持できるとともに、走行体３の走行時に発生する振動が、平行プレート１１に対するボールキャスター１０の接触及び回転により抑えられ、走行体３の安定した走行、更には雪庇切刃２による安定した雪庇の除去が可能となる。また、走行体３の下面にロープ１４が設けられているので、作業員がこのロープ１４を引っ張ることで、走行体３に取り付けられた雪庇切刃２を、屋根１の軒先に沿って移動させることができ、その軒先の雪庇を切断することができる。すなわち、雪庇除去装置１００では、ロープ１４という簡単な牽引手段で走行体３を走行させることが可能であり、簡素な装置が実現される。そして、このような雪庇除去装置１００では、走行板３を走行させるためにロープ１４を引く力は、測定では約１．７キログラムと軽く（但し、雪庇を切断していない状態）、人間１人の力で容易に操作することが可能である。その結果、雪庇が発生した場合には、駅担当者に連絡し、１人の職員が直に雪庇除去装置１００を稼動させることができ、タイムラグを発生させず、雪庇の切断・除去が可能となる。
【００２７】
本実施の形態では、揺動防止手段８として平行プレート１１の下面を転がるボールキャスター１０が設けられているが、これに限定されず、ボールキャスター１０に代えて、図４に示すような平行プレート１１の下面を摺動する摺動部材１５を設けても良い。そして、このような構成によっても同様に、摺動部材１５にかかる上向きの力を平行プレート１１が受けることで、走行体３の水平度が維持される。また、走行体３が走行時に振動した場合であっても、その振動が、平行プレート１１に対する摺動部材１５の摺動により抑えられ、走行体３の安定した走行、更には雪庇切刃２による安定した雪庇の除去が可能となる。また、本実施の形態では、雪庇切刃２を走行体３に対して垂直に固定したが、これに限定されず、屋根１との位置関係に基づき、雪庇切刃２を走行体３に対して傾斜するように固定しても良い。
【００２８】
また、前記ハンガーレール５及び平行プレート１１は、屋根１の軒下に固定したが、これに限定されず、屋根１と別途に設けられた支持手段に固定しても良い。すなわち、前記ハンガーレール５及び平行プレート１１は、屋根１の軒下に、その軒下の縁に沿う矢印Ａ−Ｂ方向に配置することが必須であり、これらを支持する手段は特に限定されるものではない。又、走行板３を走行させるための手段として、ハンガーレール１１及び懸架式ローラ６を用い、上から吊り下げる構造としたが、これに限定されず、通常のレール及びそのレール上を走行する車輪によって走行板３を下から支える構造としても良く、その際、車輪がレールから脱落しないように、レールの側部にガイドを設けると良い。
【産業上の利用可能性】
【００２９】
本発明は、駅のホーム等の屋根に使用される雪庇除去装置に関する。
【図面の簡単な説明】
【００３０】
【図１】雪庇除去装置１００が屋根１に取り付けられた状態を示す斜視図
【図２】図１の雪庇除去装置１００を矢印ＩＩ方向から見た側面図
【図３】図２を矢印ＩＩＩ方向から見た走行用ローラの配列を示す図。
【図４】揺動防止手段８の変形例を示す図
【符号の説明】
【００３１】
１  屋根
２  雪庇切刃（雪庇除去刃）
３  走行体
５  ハンガーレール（支持レール）
６  懸架式ローラ（走行用ローラ）
８  揺動防止手段
１０  ボールキャスター（球状車輪）
１２  牽引手段
１４  ロープ
１５  摺動部材
【図１】
2008075377.tif 000003
【図２】
2008075377.tif 000004
【図３】
2008075377.tif 000005
【図４】
2008075377.tif 000006